(57)【要約】【課題】冷却空間内の壁や冷却対象に水が着氷することを抑制しながら、０℃以下の空気を連続的に加湿することが可能な加湿装置を提供する。【解決手段】この加湿装置１００は、加湿源１０が貯留される加湿槽１と、加湿槽１に、加湿源１０を供給する加湿源供給部４と、加湿する０℃以下の空気を加湿槽１に流入させる空気流入部２と、加湿した０℃以下の空気を冷却空間に供給する空気供給部３と、を備える。そして、加湿源１０は、過冷却水を含む。【選択図】図２
2020041711.tif 000002
【特許請求の範囲】
【請求項１】
加湿源が貯留される加湿槽と、
前記加湿槽に、前記加湿源を供給する加湿源供給部と、
加湿する０℃以下の空気を前記加湿槽に流入させる空気流入部と、
加湿した０℃以下の空気を冷却空間に供給する空気供給部と、を備え、
前記加湿源は、過冷却水を含む、加湿装置。
【請求項２】
前記空気供給部は、氷の飽和蒸気圧以下の蒸気圧を有する水分を含む０℃以下の空気を冷却空間に供給するように構成されている、請求項１に記載の加湿装置。
【請求項３】
前記加湿源は、過冷却水から生成された氷スラリーを含む、請求項１または２に記載の加湿装置。
【請求項４】
前記加湿源は、水と、水に凝固点降下をさせる溶質とを含有する過冷却水から生成された氷スラリーを含む、請求項３に記載の加湿装置。
【請求項５】
前記加湿源供給部から供給される前記加湿源を着氷させる着氷部をさらに備え、
前記着氷部は、前記加湿槽内の加湿した空気の流路に配置されている、請求項１〜４のいずれか１項に記載の加湿装置。
【請求項６】
前記着氷部は、前記加湿源の供給が停止された場合に、着氷した氷により前記加湿槽内の空気を加湿し、前記加湿源が供給されている場合に、前記加湿源により加湿した空気を着氷した氷により除湿するように構成されている、請求項５に記載の加湿装置。
【請求項７】
前記加湿源供給部は、前記着氷部に着氷した氷の量に基づく指標が所定の基準を超える場合に、前記加湿源の供給を停止するとともに、前記着氷部に着氷した氷の量に基づく指標が所定の基準を超えない場合に、前記加湿源の供給を再開するように構成されている、請求項６に記載の加湿装置。
【請求項８】
前記着氷部は、上下方向に積層された多段の網状部材を含む、請求項５〜７のいずれか１項に記載の加湿装置。
【請求項９】
多段の前記網状部材には、網目よりも大きい開口部が各々設けられており、
隣接する前記網状部材の前記開口部は、平面視において、オフセットした位置に配置されている、請求項８に記載の加湿装置。
【請求項１０】
前記空気供給部から冷却空間に供給される加湿した空気を暖める加温部をさらに備える、請求項１〜９のいずれか１項に記載の加湿装置。
【請求項１１】
前記加湿槽は、加湿した空気が供給される冷却空間に配置されて冷却されるように構成されている、請求項１〜１０のいずれか１項に記載の加湿装置。
【請求項１２】
空気を０℃以下に冷却する冷却部と、
前記冷却部により冷却された空気を加湿する加湿部と、を備え、
前記加湿部は、
加湿源が貯留される加湿槽と、
前記加湿槽に、前記加湿源を供給する加湿源供給部と、
加湿する０℃以下の空気を前記加湿槽に流入させる空気流入部と、
加湿した０℃以下の空気を冷却空間に供給する空気供給部と、を含み、
前記加湿源は、過冷却水を含む、冷却装置。
【請求項１３】
０℃以下に空気を冷却し、
冷却した空気を、過冷却水を含む加湿源により加湿し、
加湿した０℃以下の空気を冷却空間に供給する、加湿方法。
【発明の詳細な説明】
【技術分野】
【０００１】
この発明は、加湿装置、冷却装置および加湿方法に関し、特に、０℃以下の空気を加湿する加湿装置、冷却装置および加湿方法に関する。
【背景技術】
【０００２】
従来、０℃以下の空気を加湿する加湿装置が知られている（たとえば、特許文献１および２参照）。
【０００３】
上記特許文献１には、加湿源として氷を用いて０℃以下の空気を加湿する加湿装置が開示されている。つまり、特許文献１の加湿装置は、０℃以下において、氷と水蒸気との相平衡を利用して、氷を水蒸気にして０℃以下の空気に水分を含ませるようにして加湿を行うように構成されている。
【０００４】
また、特許文献２には、倉庫内（冷却空間）に１０μｍ以下の粒径の水分粒子を噴霧して０℃以下の空気を加湿する加湿装置が開示されている。つまり、特許文献２の加湿装置は、１０μｍ以下の粒径の水分粒子が０℃以下でも凍らないことを利用して、冷却空間に１０μｍ以下の粒径の水分粒子を噴霧して、冷却空間を直接加湿するように構成されている。
【先行技術文献】
【特許文献】
【０００５】
【特許文献１】特開２００９−０９２３７７号公報
【特許文献２】特開２０００−１３５０５２号公報
【発明の概要】
【発明が解決しようとする課題】
【０００６】
しかしながら、上記特許文献１の加湿装置では、加湿源が氷（固体）であり、加湿源の流動性が小さいため、加湿装置に加湿源を連続的に補充することが困難である。このため、加湿装置により０℃以下の空気を連続的に加湿することが困難であるという問題点がある。また、特許文献２の加湿装置では、噴霧した１０μｍ以下の粒径の水分は凍らないものの、液滴同士の衝突・合体により水分の粒径が凍らない限界径を超えると、冷却空間内の壁や冷却対象に水が着氷するという問題点がある。
【０００７】
この発明は、上記のような課題を解決するためになされたものであり、この発明の１つの目的は、冷却空間内の壁や冷却対象に水が着氷することを抑制しながら、０℃以下の空気を連続的に加湿することが可能な加湿装置、冷却装置および加湿方法を提供することである。
【課題を解決するための手段】
【０００８】
上記目的を達成するために、この発明の第１の局面による加湿装置は、加湿源が貯留される加湿槽と、加湿槽に、加湿源を供給する加湿源供給部と、加湿する０℃以下の空気を加湿槽に流入させる空気流入部と、加湿した０℃以下の空気を冷却空間に供給する空気供給部と、を備え、加湿源は、過冷却水を含む。なお、過冷却水は、０℃以下において氷を含んでいない水である。
【０００９】
この発明の第１の局面による加湿装置では、上記のように加湿源として過冷却水（液体）を加湿槽に供給するので、加湿装置に加湿源を連続的に補充することができる。その結果、加湿装置により０℃以下の空気を連続的に加湿することができる。また、加湿槽に連続的に供給される加湿源により０℃以下の空気を加湿することができるので、飽和した状態または飽和に近い状態の水分を含んだ０℃以下の空気を供給することができる。これにより、冷却空間に水分を噴霧する場合と異なり、液体の水を冷却空間に供給することがない。その結果、水が結露や着霜することがないので、冷却空間内の壁や冷却対象に水が着氷することを抑制することができる。これらにより、冷却空間内の壁や冷却対象に水が着氷することを抑制しながら、０℃以下の空気を連続的に加湿することができる。
【００１０】
上記第１の局面による加湿装置において、好ましくは、空気供給部は、氷の飽和蒸気圧以下の蒸気圧を有する水分を含む０℃以下の空気を冷却空間に供給するように構成されている。このように構成すれば、冷却空間に供給される空気に含まれる気体の水分が冷却空間において固体（氷）になるのを効果的に抑制することができるので、冷却空間内の壁や冷却対象に水が着氷することを効果的に抑制することができる。
【００１１】
上記第１の局面による加湿装置において、好ましくは、加湿源は、過冷却水から生成された氷スラリーを含む。このように構成すれば、加湿源を過冷却水（液体）により加湿槽に供給することができるとともに、過冷却が解除されて一部が氷になった氷スラリーにより、０℃以下の空気を飽和に近い状態に加湿することができる。なお、氷スラリーは、固液相平衡状態のシャーベット状の流動性を有する液体である。
【００１２】
この場合、好ましくは、加湿源は、水と、水に凝固点降下をさせる溶質とを含有する過冷却水から生成された氷スラリーを含む。このように構成すれば、凝固点の温度となる氷スラリーの温度を凝固点降下により調整することができるので、冷却空間の温度に応じて加湿する空気の温度を適切に調整することができる。
【００１３】
上記第１の局面による加湿装置において、好ましくは、加湿源供給部から供給される加湿源を着氷させる着氷部をさらに備え、着氷部は、加湿槽内の加湿した空気の流路に配置されている。このように構成すれば、着氷部に着氷した氷により、加湿または除湿することができるので、０℃以下の空気を適度に加湿することができる。
【００１４】
上記着氷部を備える構成の加湿装置において、好ましくは、着氷部は、加湿源の供給が停止された場合に、着氷した氷により加湿槽内の空気を加湿し、加湿源が供給されている場合に、加湿源により加湿した空気を着氷した氷により除湿するように構成されている。このように構成すれば、加湿源の供給が停止され液体の加湿源がない場合に、着氷した氷により０℃以下の空気を適度に加湿することができる。また、加湿源が供給され液体の加湿源により０℃以下の空気が過剰に加湿された場合に、着氷した氷により０℃以下の空気を適度に除湿することができる。
【００１５】
この場合、好ましくは、加湿源供給部は、着氷部に着氷した氷の量に基づく指標が所定の基準を超える場合に、加湿源の供給を停止するとともに、着氷部に着氷した氷の量に基づく指標が所定の基準を超えない場合に、加湿源の供給を再開するように構成されている。このように構成すれば、着氷した氷の量に応じて液体の加湿源の供給を調整することができるので、液体の加湿源および着氷した氷を用いて、０℃以下の空気を容易に適度に加湿することができる。
【００１６】
上記着氷部を備える構成の加湿装置において、好ましくは、着氷部は、上下方向に積層された多段の網状部材を含む。このように構成すれば、網状部材に液体の加湿源を衝突させることにより、過冷却を解除して一部を氷にして容易に着氷させることができる。また、網目を液体の加湿源を通過させることができるので、着氷する氷が過度に多くなるのを抑制することができる。
【００１７】
この場合、好ましくは、多段の網状部材には、網目よりも大きい開口部が各々設けられており、隣接する網状部材の開口部は、平面視において、オフセットした位置に配置されている。このように構成すれば、着氷により網目が詰まった場合でも、開口部により空気の通り道を確保することができるので、加湿された０℃以下の空気の供給が停止されるのを抑制することができる。
【００１８】
上記第１の局面による加湿装置において、好ましくは、空気供給部から冷却空間に供給される加湿した空気を暖める加温部をさらに備える。このように構成すれば、空気に対する水分の飽和量を多くすることができるので、液体の加湿源により過剰に加湿された０℃以下の空気から、水分が析出して着氷するのを抑制することができる。
【００１９】
上記第１の局面による加湿装置において、好ましくは、加湿槽は、加湿した空気が供給される冷却空間に配置されて冷却されるように構成されている。このように構成すれば、加湿槽を冷却空間とともに冷却することができるので、加湿槽を冷却する部材を別途設ける必要がない。これにより、部品点数が増加するのを抑制するとともに、装置構成を簡素化することができる。
【００２０】
また、この発明の第２の局面による冷却装置は、空気を０℃以下に冷却する冷却部と、冷却部により冷却された空気を加湿する加湿部と、を備え、加湿部は、加湿源が貯留される加湿槽と、加湿槽に、加湿源を供給する加湿源供給部と、加湿する０℃以下の空気を加湿槽に流入させる空気流入部と、加湿した０℃以下の空気を冷却空間に供給する空気供給部と、を含み、加湿源は、過冷却水を含む。
【００２１】
この発明の第２の局面による冷却装置では、上記のように加湿源として過冷却水（液体）を加湿槽に供給するので、加湿装置に加湿源を連続的に補充することができる。その結果、加湿装置により０℃以下の空気を連続的に加湿することができる。また、加湿槽に連続的に供給される加湿源により０℃以下の空気を加湿することができるので、飽和した状態または飽和に近い状態の水分を含んだ０℃以下の空気を供給することができる。これにより、冷却空間に水分を噴霧する場合と異なり、液体の水を冷却空間に供給することがない。その結果、水が結露や着霜することがないので、冷却空間内の壁や冷却対象に水が着氷することを抑制することができる。これらにより、冷却空間内の壁や冷却対象に水が着氷することを抑制しながら、０℃以下の空気を連続的に加湿することが可能な冷却装置を提供することができる。
【００２２】
また、この発明の第３の局面による加湿方法は、０℃以下に空気を冷却し、冷却した空気を、過冷却水を含む加湿源により加湿し、加湿した０℃以下の空気を冷却空間に供給する。
【００２３】
この発明の第３の局面による加湿方法では、上記のように加湿源として過冷却水（液体）を供給することができるので、加湿源を連続的に補充することができる。その結果、０℃以下の空気を連続的に加湿することができる。また、連続的に供給される加湿源により０℃以下の空気を加湿することができるので、飽和した状態または飽和に近い状態の水分を含んだ０℃以下の空気を供給することができる。これにより、冷却空間に水分を噴霧する場合と異なり、液体の水を冷却空間に供給することがない。その結果、水が結露や着霜することがないので、冷却空間内の壁や冷却対象に水が着氷することを抑制することができる。これらにより、冷却空間内の壁や冷却対象に水が着氷することを抑制しながら、０℃以下の空気を連続的に加湿することが可能な加湿方法を提供することができる。
【発明の効果】
【００２４】
本発明によれば、上記のように、冷却空間内の壁や冷却対象に水が着氷することを抑制しながら、０℃以下の空気を連続的に加湿することができる。
【図面の簡単な説明】
【００２５】
【図１】本発明の第１実施形態による冷却装置の概略的な構成を示したブロック図である。
【図２】本発明の第１実施形態による加湿部の構成を示した図である。
【図３】氷点下の温度における過冷却水および氷の飽和蒸気圧を示したグラフである。
【図４】本発明の第１実施形態の変形例（１）による加湿部の構成を示した図である。
【図５】本発明の第１実施形態の変形例（２）による加湿部の構成を示した図である。
【図６】本発明の第２実施形態による加湿部の構成を示した図である。
【図７】本発明の第２実施形態の変形例（３）による加湿部の構成を示した図である。
【図８】本発明の第２実施形態の変形例（４）による加湿部の構成を示した図である。
【図９】本発明の第３実施形態による加湿部の構成を示した図である。
【図１０】本発明の第３実施形態の加湿装置の多段の網状部材を示した斜視図である。
【図１１】本発明の第３実施形態の加湿源を供給して運転する状態を示した図である。
【図１２】本発明の第３実施形態の加湿源の供給を停止して運転する状態を示した図である。
【図１３】本発明の第３実施形態の圧力損失に基づく加湿源の供給状態を説明するための図である。
【図１４】本発明の第３実施形態による冷却装置の制御部による給水制御処理を説明するためのフローチャートである。
【図１５】本発明の第３実施形態の変形例（５）による加湿部の構成を示した図である。
【図１６】本発明の第３実施形態の変形例（６）による加湿部の構成を示した図である。
【図１７】本発明の第３実施形態の変形例（５）および（６）の風量／風速に基づく加湿源の供給状態を説明するための図である。
【図１８】本発明の第３実施形態の変形例（７）による加湿部の構成を示した図である。
【図１９】本発明の第３実施形態の変形例（７）のファン回転数に基づく加湿源の供給状態を説明するための図である。
【図２０】本発明の第３実施形態の変形例（７）のファン軸動力に基づく加湿源の供給状態を説明するための図である。
【図２１】本発明の第３実施形態の変形例（８）による加湿部の構成を示した図である。
【図２２】本発明の第３実施形態の変形例（８）の氷の重量に基づく加湿源の供給状態を説明するための図である。
【図２３】本発明の第３実施形態の変形例（９）の経過時間に基づく加湿源の供給状態を説明するための図である。
【図２４】本発明の第３実施形態の変形例（９）による冷却装置の制御部による給水制御処理（タイマー利用）を説明するためのフローチャートである。
【図２５】本発明の第１〜第３実施形態の変形例による冷却装置の概略的な構成を示したブロック図である。
【発明を実施するための形態】
【００２６】
以下、本発明を具体化した実施形態を図面に基づいて説明する。
【００２７】
［第１実施形態］
図１〜図３を参照して、本発明の第１実施形態による冷却装置２００の構成について説明する。
【００２８】
冷却装置２００は、冷却庫２０３内を０℃以下に冷却するように構成されている。また、冷却装置２００は、冷却庫２０３内を相対湿度が９０％〜１００％に加湿して冷却するように構成されている。冷却庫２０３内には、野菜や肉類や魚類などの生鮮食品が保存される。このような生鮮食品は、０℃以下（氷点下）において結露や着氷することなく高湿度環境に維持することにより適切に保存できる期間を長期化することが可能である。
【００２９】
図１に示すように、冷却装置２００は、冷却部２０１と、加湿源貯留部２０２と、制御部２０４とを備えている。また、冷却装置２００は、加湿部１００を備えている。なお、加湿部１００は、特許請求の範囲の「加湿装置」の一例である。
【００３０】
冷却部２０１は、空気を０℃以下（氷点下）に冷却するように構成されている。具体的には、冷却部２０１は、冷却庫２０３内の空気を−１５℃以上０℃以下（または０℃未満）に冷却するように構成されている。好ましくは、冷却部２０１は、冷却庫２０３内の空気を−１５℃以上−２℃以下に冷却するように構成されている。冷却部２０１は、冷媒を循環させる冷凍サイクルにより空気を冷却するように構成されている。冷媒は、たとえば、二酸化炭素冷媒などの自然冷媒や、オゾン層破壊係数がゼロの代替フロン冷媒などが用いられる。冷却部２０１は、圧縮機と、凝縮器と、膨張弁と、蒸発器と、を含んでいる。
【００３１】
加湿源貯留部２０２は、加湿部１００に供給する加湿源１０を貯留するように構成されている。ここで、加湿源１０は、過冷却水を含んでいる。加湿源貯留部２０２は、冷却庫２０３内に配置されている。これにより、加湿源１０が０℃以下に冷却されるように構成されている。
【００３２】
加湿部１００は、冷却部２０１により０℃以下（氷点下）に冷却された空気を加湿するように構成されている。具体的には、加湿部１００は、０℃以下に冷却された空気を、加湿源１０としての過冷却水により加湿するように構成されている。加湿部１００は、図２に示すように、加湿槽１と、空気流入部２と、空気供給部３と、加湿源供給部４と、を備えている。
【００３３】
加湿槽１は、加湿源１０が貯留される。加湿槽１に貯留される加湿源１０は、氷が発生していない過冷却状態の水、または、過冷却が解除され、一部が氷になった過冷却水から生成された氷スラリーである。たとえば、加湿源１０は、水と、水に凝固点降下をさせる溶質とを含む過冷却水から生成された氷スラリーである。凝固点降下をさせる溶質は、たとえば、塩・糖類などである。また、加湿源１０は、たとえば、界面活性剤など過冷却を促進する物質が添加された水でもよい。過冷却水は、過冷却解除温度が冷却庫２０３内の温度よりも５℃以上低いものであることが好ましい。つまり、過冷却水は、使用温度より５℃以上低い温度でも安定して液体の状態であることが可能である。たとえば、冷却庫２０３内の温度が−５℃であれば、過冷却解除温度は、−１０℃以下であり、冷却庫２０３内の温度が−１℃であれば、過冷却解除温度は、−６℃以下であることが好ましい。
【００３４】
また、加湿槽１は、加湿した空気が供給される冷却空間（冷却庫２０３内）に配置されている。つまり、加湿槽１は、冷却庫２０３内において、０℃以下に冷却されるように構成されている。
【００３５】
空気流入部２は、加湿する０℃以下の空気を加湿槽１に流入させるように構成されている。具体的には空気流入部２は、冷却部２０１により冷却された０℃以下の空気を加湿槽１に送るためのファン２１が設けられている。ファン２１の駆動により、０℃以下に冷却された加湿する空気が加湿槽１内に送られる。また、空気流入部２は、管状に形成されている。また、空気流入部２の管の先端は、加湿槽１内の加湿源１０の液面よりも上方に配置されている。
【００３６】
空気供給部３は、加湿した０℃以下の空気を冷却空間（冷却庫２０３内）に供給するように構成されている。また、空気供給部３は、管状に形成されている。また、空気供給部３の管の先端は、加湿槽１内の加湿源１０の液面よりも上方に配置されている。また、空気供給部３には、加温部３１が設けられている。加温部３１は、空気供給部３から冷却空間に供給される加湿した空気を暖めるように構成されている。
【００３７】
ここで、図３に示すように、０℃以下において、過冷却水における水の飽和蒸気圧は、氷における水の飽和蒸気圧よりも大きい。つまり、過冷却水による飽和の方が、氷による飽和よりも、空気中の水分量は多い。冷却空間内では、過冷却水が存在しない（存在したとしても微量）ため、氷飽和による飽和蒸気圧により、相変化が起こる。つまり、冷却空間内では、氷の飽和蒸気圧以上に、空気中に水分が存在することが困難である。そこで、冷却空間内には、氷の飽和蒸気圧以下の蒸気圧を有する水分が含まれる加湿された空気が供給される必要がある。つまり、空気供給部３は、氷の飽和蒸気圧以下の蒸気圧を有する水分を含む０℃以下の空気を冷却空間に供給するように構成されている。
【００３８】
具体的には、過冷却水である加湿源１０により加湿した空気を冷却庫２０３内の温度まで加温部３１により温めることにより、氷の飽和蒸気圧を上げることができる（図３の右にシフトする矢印）ので、その温度において水分が着氷することを抑制することが可能である。空気供給部３から冷却庫２０３に供給される空気は、過冷却水（加湿源１０）の温度に対して２℃〜５℃程度高いことが好ましい。たとえば、加湿部１００に流入する冷却空気（冷却部２０１の出口温度）が冷却庫２０３内の温度より低い場合や、加湿部１００における加湿の際の蒸発に伴う気化冷却により空気の温度が低下する場合でも、加温部３１により、冷却空気の温度を調整することが可能である。
【００３９】
加湿源供給部４は、加湿槽１に加湿源１０を供給するように構成されている。具体的には、加湿源供給部４は、加湿源貯留部２０２に貯留された加湿源１０を加湿槽１に導くように構成されている。加湿源供給部４は、加湿槽１の下部に接続するように設けられている。加湿源供給部４は、加湿槽１に貯留された加湿源１０中に新たな加湿源１０を供給するように構成されている。これにより、加湿源１０を加湿槽１内に穏やかに供給することが可能である。
【００４０】
（第１実施形態の効果）
第１実施形態では、以下のような効果を得ることができる。
【００４１】
本実施形態では、上記のように、加湿源１０として過冷却水（液体）を加湿槽１に供給するので、加湿部１００に加湿源１０を連続的に補充することができる。その結果、加湿部１００により０℃以下の空気を連続的に加湿することができる。また、飽和した状態または飽和に近い状態の水分を含んだ０℃以下の空気を供給することができるので、冷却庫２０３（冷却空間）に水分を噴霧する場合と異なり、液体の水を冷却空間に供給することがない。その結果、水が結露や着霜することがないので、冷却空間内の壁や冷却対象に水が着氷することを抑制することができる。これらにより、冷却空間内の壁や冷却対象に水が着氷することを抑制しながら、０℃以下の空気を連続的に加湿することができる。このような効果は、加湿源１０を連続的に補充する必要がある大きな倉庫を加湿する場合に特に有効である。
【００４２】
また、本実施形態では、上記のように、空気供給部３を、氷の飽和蒸気圧以下の蒸気圧を有する水分を含む０℃以下の空気を冷却庫２０３に供給するように構成する。これにより、冷却庫２０３に供給される空気に含まれる気体の水分が冷却庫２０３において固体（氷）になるのを効果的に抑制することができるので、冷却庫２０３内の壁や冷却対象に水が着氷することを効果的に抑制することができる。
【００４３】
また、本実施形態では、上記のように、加湿源１０は、過冷却水から生成された氷スラリーを含む。これにより、加湿源１０を過冷却水（液体）により加湿槽１に供給することができるとともに、過冷却が解除されて一部が氷になった氷スラリーにより、０℃以下の空気を飽和に近い状態に加湿することができる。
【００４４】
また、本実施形態では、上記のように、加湿源１０は、水と、水に凝固点降下をさせる溶質とを含有する過冷却水から生成された氷スラリーを含む。これにより、凝固点の温度となる氷スラリーの温度を凝固点降下により調整することができるので、冷却庫２０３内の温度に応じて加湿する空気の温度を適切に調整することができる。
【００４５】
また、本実施形態では、上記のように、空気供給部３から冷却庫２０３に供給される加湿した空気を暖める加温部３１を設ける。これにより、空気に対する水分の飽和量を多くすることができるので、液体の加湿源１０により過剰に加湿された０℃以下の空気から、水分が析出して着氷するのを抑制することができる。
【００４６】
また、本実施形態では、上記のように、加湿槽１を、加湿した空気が供給される冷却庫２０３に配置して冷却するように構成する。これにより、加湿槽１を冷却庫２０３とともに冷却することができるので、加湿槽１を冷却する部材を別途設ける必要がない。これにより、部品点数が増加するのを抑制するとともに、装置構成を簡素化することができる。
【００４７】
（第１実施形態の変形例（１））
図４を参照して、第１実施形態の変形例（１）による加湿部１００ａについて説明する。なお、上記第１実施形態と同様の構成については、図中において同じ符号を付して図示し、その説明を省略する。
【００４８】
加湿部１００ａは、図４に示すように、加湿槽１と、空気流入部２ａと、空気供給部３ａと、加湿源供給部４と、を備えている。
【００４９】
空気流入部２ａは、冷却部２０１により冷却された０℃以下の空気を加湿槽１に送るためのファン２１が設けられている。また、空気流入部２ａは、管状に形成されている。また、空気流入部２ａの管の先端は、加湿槽１の上面に配置されている。つまり、空気流入部２ａは、加湿槽１の上面から冷却された空気を加湿槽１に供給するように構成されている。
【００５０】
空気供給部３ａは、管状に形成されている。また、空気供給部３ａの管の先端は、加湿槽１内の上面に配置されている。また、空気供給部３ａには、加温部３１が設けられている。
【００５１】
（第１実施形態の変形例（２））
図５を参照して、第１実施形態の変形例（２）による加湿部１００ｂについて説明する。なお、上記第１実施形態と同様の構成については、図中において同じ符号を付して図示し、その説明を省略する。
【００５２】
加湿部１００ｂは、図５に示すように、加湿槽１と、空気流入部２ｂと、空気供給部３と、加湿源供給部４と、を備えている。
【００５３】
空気流入部２ｂは、冷却部２０１により冷却された０℃以下の空気を加湿槽１に送るためのファン２１が設けられている。また、空気流入部２ｂは、管状に形成されている。また、空気流入部２ｂの管の先端は、加湿槽１の貯留された加湿源１０内に配置されている。つまり、空気流入部２ｂは、加湿源１０内に冷却された空気を供給するように構成されている。
【００５４】
［第２実施形態］
図６を参照して、第２実施形態について説明する。この第２実施形態では、加温部により冷却した空気を暖めて、冷却庫内における水の析出を抑制する構成の上記第１実施形態と異なり、氷により除湿または加湿することにより、冷却庫内における水の析出を抑制する構成の例について説明する。なお、上記第１実施形態と同様の構成については、図中において同じ符号を付して図示し、その説明を省略する。
【００５５】
本発明の第２実施形態による加湿部３００は、冷却部２０１（図１参照）により０℃以下（氷点下）に冷却された空気を加湿するように構成されている。具体的には、加湿部３００は、０℃以下に冷却された空気を、加湿源１０としての過冷却水により加湿するように構成されている。加湿部３００は、図６に示すように、加湿槽１と、空気供給部３と、空気流入部５と、加湿源供給部６と、網状部材７と、を備えている。なお、加湿部３００は、特許請求の範囲の「加湿装置」の一例である。また、網状部材７は、特許請求の範囲の「着氷部」の一例である。
【００５６】
空気流入部５は、加湿する０℃以下の空気を加湿槽１に流入させるように構成されている。具体的には空気流入部５は、冷却部２０１により冷却された０℃以下の空気を加湿槽１に送るためのファン２１が設けられている。ファン２１の駆動により、０℃以下に冷却された加湿する空気が加湿槽１内に送られる。また、空気流入部５は、管状に形成されている。また、空気流入部２の管の先端は、加湿槽１内の加湿源１０の液面よりも上方に配置されている。
【００５７】
加湿源供給部６は、加湿槽１に加湿源１０を供給するように構成されている。具体的には、加湿源供給部６は、加湿源貯留部２０２に貯留された加湿源１０を加湿槽１に導くように構成されている。加湿源供給部６は、加湿槽１の上部に接続するように設けられている。また、加湿源供給部６は、加湿源１０を落下させるようにして加湿槽１に加湿源１０を供給するように構成されている。
【００５８】
網状部材７は、加湿源供給部６から供給される加湿源１０を着氷させるように構成されている。また、網状部材７は、加湿槽１内の加湿した空気の流路に配置されている。また、網状部材７は、上下方向に多段に積層されている。たとえば、網状部材７は、上下方向に間隔を隔てて３段積層されている。網状部材７は、金属材料または樹脂材料により形成されている。また、網状部材７は、２ｍｍ以上の網目を有するように形成されている。
【００５９】
網状部材７は、加湿源１０を氷スラリーの状態で供給した場合、固体成分である氷の一部を網により分離して保持する。つまり、網状部材７は、網目よりも大きい氷を通過させずに、保持する。また、加湿源１０を氷スラリーの状態で供給した場合、網目での分離効果に加え、網に氷が付着する効果もある。また、網状部材７を通過した氷スラリーは、残留加湿源として加湿槽１の下部に貯留される。
【００６０】
また、網状部材７は、加湿源１０を液体の過冷却水の状態で供給した場合、網に過冷却水が衝突することにより、過冷却を解除して一部を氷にして網に氷を付着させる。また、網状部材７を通過した過冷却水は、過冷却解除後の氷スラリーとなり、残留加湿源として加湿槽１の下部に貯留される。
【００６１】
冷却された空気は、空気流入部５から加湿槽１の下部に供給される。冷却された空気は、加湿槽１の加湿源１０により、過冷却水飽和（図３参照）に近い蒸気圧の水分を含むように加湿される。加湿された空気は、空気供給部３から排出されるまでの間に、網状部材７に保持された氷に接触する。これにより、加湿された空気は、氷により適度に除湿される。
【００６２】
つまり、図３に示すように、過冷却水である加湿源１０により加湿した空気を氷により除湿する（図３の下にシフトする矢印）ことにより、その温度において水分が着氷することを抑制することが可能である。なお、氷の飽和蒸気圧まで空気が加湿されていない場合は、加湿された空気が、網状部材７の氷によりさらに加湿される。
【００６３】
なお、第２実施形態のその他の構成は、上記第１実施形態と同様である。
【００６４】
（第２実施形態の効果）
第２実施形態では、以下のような効果を得ることができる。
【００６５】
第２実施形態では、冷却庫２０３（冷却空間）内の壁や冷却対象に水が着氷することを抑制しながら、０℃以下の空気を連続的に加湿することができる。
【００６６】
また、第２実施形態では、上記のように、加湿源供給部６から供給される加湿源１０を着氷させる網状部材７を設け、網状部材７を、加湿槽１内の加湿した空気の流路に配置する。これにより、網状部材７に着氷した氷により、加湿または除湿することができるので、０℃以下の空気を適度に加湿することができる。
【００６７】
なお、第２実施形態のその他の効果は、上記第１実施形態と同様である。
【００６８】
（第２実施形態の変形例（３））
図７を参照して、第２実施形態の変形例（３）による加湿部３００ａについて説明する。なお、上記第２実施形態と同様の構成については、図中において同じ符号を付して図示し、その説明を省略する。
【００６９】
加湿部３００ａは、図７に示すように、加湿槽１と、空気供給部３と、空気流入部５ａと、加湿源供給部６と、網状部材７と、を備えている。
【００７０】
空気流入部５ａは、冷却部２０１により冷却された０℃以下の空気を加湿槽１に送るためのファン２１が設けられている。また、空気流入部５ａは、管状に形成されている。また、空気流入部５ａの管の先端は、加湿槽１の貯留された加湿源１０内に配置されている。つまり、空気流入部５ａは、加湿源１０内に冷却された空気を供給するように構成されている。
【００７１】
（第２実施形態の変形例（４））
図８を参照して、第２実施形態の変形例（４）による加湿部３００ｂについて説明する。なお、上記第２実施形態と同様の構成については、図中において同じ符号を付して図示し、その説明を省略する。
【００７２】
加湿部３００ｂは、図８に示すように、加湿槽１と、空気供給部３と、空気流入部５ｂと、加湿源供給部６と、網状部材７と、を備えている。
【００７３】
空気流入部５ｂは、冷却部２０１により冷却された０℃以下の空気を加湿槽１に送るためのファン２１が設けられている。また、空気流入部５ｂは、管状に形成されている。また、空気流入部５ｂの管の先端は、加湿槽１の下方部に配置されている。具体的には、空気流入部５ｂは、加湿槽１内の加湿源１０と、網状部材７との間に空気を流入させるように構成されている。また、空気流入部５ｂは、加湿槽１の側面に設けられている。
【００７４】
［第３実施形態］
図９〜図１４を参照して、第３実施形態について説明する。この第３実施形態では、第２実施形態における網状部材に開口部を設けた構成の例について説明する。なお、上記第１または第２実施形態と同様の構成については、図中において同じ符号を付して図示し、その説明を省略する。
【００７５】
本発明の第３実施形態による加湿部４００は、冷却部２０１（図１参照）により０℃以下（氷点下）に冷却された空気を加湿するように構成されている。具体的には、加湿部４００は、０℃以下に冷却された空気を、加湿源１０としての過冷却水により加湿するように構成されている。加湿部４００は、図９に示すように、加湿槽１と、空気供給部３と、空気流入部５ａと、加湿源供給部６と、網状部材７と、を備えている。なお、加湿部４００は、特許請求の範囲の「加湿装置」の一例である。また、網状部材７は、特許請求の範囲の「着氷部」の一例である。
【００７６】
空気流入部５ａには、圧力センサ５１が設けられている。また、空気供給部３には、圧力センサ３２が設けられている。そして、制御部２０４は、圧力センサ３２および５１により計測した圧力を取得する。また、制御部２０４は、圧力センサ３２および５１から取得した圧力に基づいて、加湿槽１における圧力損失を取得する。つまり、制御部２０４は、加湿槽１の空気の入口に設けられた圧力センサ５１により計測した圧力と、加湿槽１の空気の出口に設けられた圧力センサ３２により計測した圧力との差を圧力損失とて取得する。
【００７７】
図１０に示すように、多段の網状部材７には、網目よりも大きい開口部７１が各々設けられている。また、隣接する網状部材７の開口部７１は、平面視において、オフセットした位置に配置されている。つまり、開口部７１は、多段の網状部材７に対して互い違いに配置されている。開口部７１は、網状部材７の網目が氷により閉塞した場合でも、空気が流れるように設けられている。また、開口部７１は、氷スラリーに含まれる氷粒子よりも十分に大きく開口するように形成されている。たとえば、開口部７１は、網状部材７の網目の１０倍〜１００倍程度に開口するように形成されている。
【００７８】
網状部材７は、図１１に示すように、加湿源１０が供給されている場合に、加湿源１０により加湿した空気を着氷した氷により除湿するように構成されている。また、網状部材７は、図１２に示すように、加湿源１０の供給が停止された場合に、着氷した氷により加湿槽内の空気を加湿するように構成されている。具体的には、加湿源供給部６は、網状部材７に着氷した氷の量に基づく指標が所定の基準を超える場合に、加湿源１０の供給を停止するように構成されている。また、加湿源供給部６は、網状部材７に着氷した氷の量に基づく指標が所定の基準を超えない場合に、加湿源１０の供給を再開するように構成されている。
【００７９】
つまり、加湿源１０が供給されている場合は、加湿源１０により空気を加湿して、網状部材７に着氷した氷により除湿・加湿して適度に加湿した空気を生成する。また、加湿源１０の供給を停止した場合は、網状部材７に着氷した氷により加湿して適度に加湿した空気を生成する。
【００８０】
図１３に示すように、制御部２０４は、網状部材７に着氷した氷が少なくなり、網目が開いてきて圧力損失がＰ１に下がった場合（時間ｔ２、ｔ４）に、加湿源１０を供給する（給水ＯＮ）。また、制御部２０４は、網状部材７に着氷した氷が多くなり、網目が詰まってきて圧力損失がＰ２より上がった場合（時間ｔ１、ｔ３）に、加湿源１０の供給を停止する（給水ＯＦＦ）。ただし、Ｐ２は、Ｐ１よりも大きい。加湿源１０を供給して加湿源１０により空気を加湿する場合は、網状部材７の氷により除湿するため、網状部材７の氷が除湿した水分により成長する。一方、網状部材７の氷により加湿する場合は、氷の水分が奪われるので、網状部材７の氷が消費される。
【００８１】
（給水制御処理）
図１４を参照して、制御部２０４による給水制御処理について説明する。この給水制御処理は、加湿動作中に継続して行われる。
【００８２】
ステップＳ１において、加湿源１０の給水が開始される。ステップＳ２において、センシングが行われる。具体的には、圧力センサ３２および５１により測定した加湿槽１の出入口の圧力が取得される。
【００８３】
ステップＳ３において、給水停止基準か否かが判断される。具体的には、加湿槽１の圧力損失がＰ２より大きいか否かが判断される。給水停止基準であれば、ステップＳ４に進み、給水停止基準でなければ、ステップＳ２に戻る。ステップＳ４において、加湿源１０の給水が停止される。
【００８４】
ステップＳ５において、センシングが行われる。具体的には、圧力センサ３２および５１により測定した加湿槽１の出入口の圧力が取得される。ステップＳ６において、給水開始基準か否かが判断される。具体的には、加湿槽１の圧力損失がＰ１より小さいか否かが判断される。給水開始基準であれば、ステップＳ１に戻り、給水開始基準でなければ、ステップＳ５に戻る。
【００８５】
なお、第３実施形態のその他の構成は、上記第２実施形態と同様である。
【００８６】
（第３実施形態の効果）
第３実施形態では、以下のような効果を得ることができる。
【００８７】
第３実施形態では、冷却庫２０３（冷却空間）内の壁や冷却対象に水が着氷することを抑制しながら、０℃以下の空気を連続的に加湿することができる。
【００８８】
また、第３実施形態では、上記のように、網状部材７を、加湿源１０の供給が停止された場合に、着氷した氷により加湿槽１内の空気を加湿し、加湿源１０が供給されている場合に、加湿源１０により加湿した空気を着氷した氷により除湿するように構成する。これにより、加湿源１０の供給が停止され液体の加湿源１０がない場合に、着氷した氷により０℃以下の空気を適度に加湿することができる。また、加湿源１０が供給され液体の加湿源１０により０℃以下の空気が過剰に加湿された場合に、着氷した氷により０℃以下の空気を適度に除湿することができる。
【００８９】
また、第３実施形態では、上記のように、加湿源供給部６を、網状部材７に着氷した氷の量に基づく指標が所定の基準を超える場合に、加湿源１０の供給を停止するとともに、網状部材７に着氷した氷の量に基づく指標が所定の基準を超えない場合に、加湿源１０の供給を再開するように構成する。これにより、着氷した氷の量に応じて液体の加湿源１０の供給を調整することができるので、液体の加湿源１０および着氷した氷を用いて、０℃以下の空気を容易に適度に加湿することができる。
【００９０】
また、第３実施形態では、上記のように、多段の網状部材７に、網目よりも大きい開口部７１を各々設け、隣接する網状部材７の開口部７１を、平面視において、オフセットした位置に配置する。これにより、着氷により網目が詰まった場合でも、開口部７１により空気の通り道を確保することができるので、加湿された０℃以下の空気の供給が停止されるのを抑制することができる。
【００９１】
なお、第３実施形態のその他の効果は、上記第１実施形態と同様である。
【００９２】
（第３実施形態の変形例（５））
図１５を参照して、第３実施形態の変形例（５）による加湿部４００ａについて説明する。なお、上記第３実施形態と同様の構成については、図中において同じ符号を付して図示し、その説明を省略する。
【００９３】
加湿部４００ａは、図１５に示すように、加湿槽１と、空気供給部３と、空気流入部５ａと、加湿源供給部６と、網状部材７と、を備えている。また、空気供給部３には、空気の風量または風速を計測する流量計３３が設けられている。
【００９４】
（第３実施形態の変形例（６））
図１６を参照して、第３実施形態の変形例（６）による加湿部４００ｂについて説明する。なお、上記第３実施形態と同様の構成については、図中において同じ符号を付して図示し、その説明を省略する。
【００９５】
加湿部４００ｂは、図１６に示すように、加湿槽１と、空気供給部３と、空気流入部５ａと、加湿源供給部６と、網状部材７と、を備えている。また、空気流入部５ａには、空気の風量または風速を計測する流量計５２が設けられている。
【００９６】
加湿部４００ａおよび４００ｂでは、図１７に示すように、制御部２０４は、網状部材７に着氷した氷が少なくなり、網目が開いてきて空気の風量／風速がＷ２に上がった場合（時間ｔ１２、ｔ１４）に、加湿源１０を供給する（給水ＯＮ）。また、制御部２０４は、網状部材７に着氷した氷が多くなり、網目が詰まってきて空気の風量／風速がＷ１より下がった場合（時間ｔ１１、ｔ１３）に、加湿源１０の供給を停止する（給水ＯＦＦ）。ただし、Ｗ２は、Ｗ１よりも大きい。
【００９７】
（第３実施形態の変形例（７））
図１８を参照して、第３実施形態の変形例（７）による加湿部４００ｃについて説明する。なお、上記第３実施形態と同様の構成については、図中において同じ符号を付して図示し、その説明を省略する。
【００９８】
加湿部４００ｃは、図１８に示すように、加湿槽１と、空気供給部３と、空気流入部５ａと、加湿源供給部６と、網状部材７と、を備えている。また、空気流入部５ａのファン２１には、ファン回転数またはファン軸動力を測定するファン測定部５３が設けられている。
【００９９】
加湿部４００ｃにおいて、ファン測定部５３によりファン回転数を取得する場合、図１９に示すように、制御部２０４は、網状部材７に着氷した氷が少なくなり、網目が開いてきてファン回転数がＲ２に上がった場合（時間ｔ２２、ｔ２４）に、加湿源１０を供給する（給水ＯＮ）。また、制御部２０４は、網状部材７に着氷した氷が多くなり、網目が詰まってきてファン回転数がＲ１より下がった場合（時間ｔ２１、ｔ２３）に、加湿源１０の供給を停止する（給水ＯＦＦ）。ただし、Ｒ２は、Ｒ１よりも大きい。
【０１００】
また、加湿部４００ｃにおいて、ファン測定部５３によりファン軸動力を取得する場合、図２０に示すように、制御部２０４は、網状部材７に着氷した氷が少なくなり、網目が開いてきてファン軸動力がＦ１に下がった場合（時間ｔ３２、ｔ３４）に、加湿源１０を供給する（給水ＯＮ）。また、制御部２０４は、網状部材７に着氷した氷が多くなり、網目が詰まってきてファン軸動力がＦ２より上がった場合（時間ｔ３１、ｔ３３）に、加湿源１０の供給を停止する（給水ＯＦＦ）。ただし、Ｆ２は、Ｆ１よりも大きい。
【０１０１】
（第３実施形態の変形例（８））
図２１を参照して、第３実施形態の変形例（８）による加湿部４００ｄについて説明する。なお、上記第３実施形態と同様の構成については、図中において同じ符号を付して図示し、その説明を省略する。
【０１０２】
加湿部４００ｄは、図２１に示すように、加湿槽１と、空気供給部３と、空気流入部５ａと、加湿源供給部６と、網状部材７と、重量計８と、を備えている。
【０１０３】
重量計８は、網状部材７の重さを測定するように構成されている。つまり、重量計８は、網状部材７に付着した氷の量を測定するように構成されている。
【０１０４】
図２１に示すように、制御部２０４は、網状部材７に着氷した氷が少なくなり、網状部材７の重量がＷＴ１に下がった場合（時間ｔ４２、ｔ４４）に、加湿源１０を供給する（給水ＯＮ）。また、制御部２０４は、網状部材７に着氷した氷が多くなり、網状部材７の重量がＷＴ２より上がった場合（時間ｔ４１、ｔ４３）に、加湿源１０の供給を停止する（給水ＯＦＦ）。ただし、ＷＴ２は、ＷＴ１よりも大きい。
【０１０５】
（第３実施形態の変形例（９））
図２３および図２４を参照して、第３実施形態の変形例（９）による加湿部４００について説明する。なお、上記第３実施形態と同様の構成については、図中において同じ符号を付して図示し、その説明を省略する。
【０１０６】
第３実施形態の変形例（９）の加湿部４００では、制御部２０４は、タイマーに基づいて、加湿源１０の供給を制御している。つまり、網状部材７への着氷により網目が詰まる時間と、網状部材７の氷の加湿による氷が消費される時間が予め分かり、略一定の場合は、タイマーにより、加湿源１０の供給を制御してもよい。
【０１０７】
図２３に示すように、制御部２０４は、給水ＯＮにしてからＯＮ経過時間が経過すると、加湿源１０の供給を停止するように構成されている。また、制御部２０４は、給水ＯＦＦにしてからＯＦＦ経過時間が経過すると、加湿源１０の供給を開始するように構成されている。
【０１０８】
（給水制御処理）
図２４を参照して、制御部２０４による給水制御処理（タイマー利用）について説明する。この給水制御処理は、加湿動作中に継続して行われる。
【０１０９】
ステップＳ１１において、タイマーがリセットされる。ステップＳ１２において、加湿源１０の給水が開始される。ステップＳ１３において、タイマーのカウントが開始される。
【０１１０】
ステップＳ１４において、所定時間経過するまでタイマーがカウントされる。ステップＳ１５において、加湿源１０の給水が停止される。
【０１１１】
ステップＳ１６において、タイマーのカウントが開始される。ステップＳ１７において、所定時間経過するまでタイマーがカウントされる。その後、ステップＳ１１に戻る。
【０１１２】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１１３】
たとえば、上記第１〜第３実施形態では、冷却庫の空気を加湿部により加湿する構成の例を示したが、本発明はこれに限られない。本発明では、冷却庫以外の空気を加湿部（加湿装置）により加湿してもよい。たとえば、倉庫、ショーケース、業務用冷蔵庫、家庭用冷蔵庫などの空気を加湿部（加湿装置）により加湿する構成でもよい。
【０１１４】
また、上記第１〜第３実施形態では、加湿源貯留部が冷却庫内に配置されている構成の例を示したが、本発明はこれに限られない。本発明では、図２５に示す変形例のように、加湿源貯留部２０２が冷却庫２０３外に配置されていてもよい。この場合、加湿源貯留部２０２から加湿部１００に供給された加湿源１０は、加湿部１００内で冷却されてもよい。
【０１１５】
また、上記第２および第３実施形態では、着氷部が網状部材により構成されている例を示したが、本発明はこれに限られない。本発明では、着氷部を網状部材以外により構成してもよい。
【０１１６】
また、上記第２および第３実施形態では、着氷部としての網状部材が平らな形状を有する例を示したが、本発明はこれに限られない。本発明では、着氷部に凹凸が設けられていてもよい。
【０１１７】
また、上記第３実施形態では、網状部材に円形の開口部が設けられている構成の例を示したが、本発明はこれに限られない。本発明では、網状部材に円形以外の形状の開口部が設けられていてもよい。たとえば、開口部は、矩形形状に形成されていてもよい。
【０１１８】
また、上記第３実施形態では、説明の便宜上、制御部の処理動作を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１１９】
１  加湿槽
２、２ａ、２ｂ、５、５ａ、５ｂ  空気流入部
３  空気供給部
４、６  加湿源供給部
７  網状部材（着氷部）
１０  加湿源
３１  加温部
７１  開口部
１００、１００ａ、１００ｂ、３００、３００ａ、３００ｂ、４００、４００ａ、４００ｂ、４００ｃ、４００ｄ  加湿部（加湿装置）
２００  冷却装置
２０１  冷却部
２０３  冷却庫（冷却空間）
【図１】
2020041711.tif 000003
【図２】
2020041711.tif 000004
【図３】
2020041711.tif 000005
【図４】
2020041711.tif 000006
【図５】
2020041711.tif 000007
【図６】
2020041711.tif 000008
【図７】
2020041711.tif 000009
【図８】
2020041711.tif 000010
【図９】
2020041711.tif 000011
【図１０】
2020041711.tif 000012
【図１１】
2020041711.tif 000013
【図１２】
2020041711.tif 000014
【図１３】
2020041711.tif 000015
【図１４】
2020041711.tif 000016
【図１５】
2020041711.tif 000017
【図１６】
2020041711.tif 000018
【図１７】
2020041711.tif 000019
【図１８】
2020041711.tif 000020
【図１９】
2020041711.tif 000021
【図２０】
2020041711.tif 000022
【図２１】
2020041711.tif 000023
【図２２】
2020041711.tif 000024
【図２３】
2020041711.tif 000025
【図２４】
2020041711.tif 000026
【図２５】
2020041711.tif 000027